(57)【要約】【課題】変更後の設定値を確認し、変更後の設定値を変更前の設定値に戻すことができる画像形成システム、及び端末装置を提供する。【解決手段】ユーザーがオリジナルドキュメント設定画面８００の項目「Ａ６／はがき」８１１ａを「はがき」から「Ａ６」に変更するときには、項目「Ａ６／はがき」８１１ａの「Ａ６」ボタン８１１ｂをポイントする。このポイントにより、矢印の通り「Ａ６」ボタン８１１ｂがオンとなり、用紙サイズに「Ａ６」が設定される。ユーザーが設定値の変更後にオリジナルドキュメント設定確認リセット画面９００を表示すると、「変更項目」表示欄９１１ａに「Ａ６／はがき」９１２ａが表示され、「ログイン設定値」表示欄９１１ｂにリセットされた「はがき」ボタン９１２ｂ、「変更後設定値」表示９１１ｃにセットされた「Ａ６」ボタン９１２ｃ、及び「リセット」表示欄９１１ｄに「リセット」ボタン９１１ｄが表示される。【選択図】図３
2016051248.tif 000002
【特許請求の範囲】
【請求項１】
画像形成装置と端末装置とを有する画像形成システムであって、
前記画像形成装置は、
前記端末装置から設定値要求通知を受信する設定値要求通知受信手段と、
前記端末装置に設定値を送信する設定値送信手段と、
前記端末装置から変更後の前記設定値を受信する設定値受信手段と
を備え、
前記端末装置は、
前記画像形成装置に前記設定値要求通知を送信する設定値要求通知送信手段と、
前記画像形成装置から前記設定値を受信する変更前設定値受信手段と、
前記変更前設定値受信手段により受信した前記設定値を設定操作画面に一覧で表示する設定値表示手段と、
前記変更前設定値受信手段により受信した前記設定値を変更する設定値変更手段と、
前記変更前設定値受信手段により受信した変更前の前記設定値と前記設定値変更手段により変更された変更後の前記設定値の両方を前記設定操作画面に一覧で表示する変更前後設定値表示手段と、
前記設定値変更手段により変更された変更後の前記設定値を前記画像形成装置に送信する変更後設定値送信手段と
を備えることを特徴とする画像形成システム。
【請求項２】
前記端末装置は、前記設定値変更手段により変更された前記設定値を変更前の前記設定値に戻す設定値リセット手段を備えることを特徴とする請求項１に記載の画像形成システム。
【請求項３】
前記端末装置は、変更された前記設定値を一括で変更前の前記設定値に戻す設定値オールリセット手段を備えることを特徴とする請求項１または請求項２に記載の画像形成システム。
【請求項４】
画像形成装置に設定値要求通知を送信する設定値要求通知送信手段と、
前記画像形成装置から設定値を受信する変更前設定値受信手段と、
前記変更前設定値受信手段により受信した前記設定値を設定操作画面に一覧で表示する設定値表示手段と、
前記変更前設定値受信手段により受信した前記設定値を変更する設定値変更手段と、
前記変更前設定値受信手段により受信した変更前の前記設定値と前記設定値変更手段により変更された変更後の前記設定値の両方を前記設定操作画面に一覧で表示する変更前後設定値表示手段と、
前記設定値変更手段により変更された変更後の前記設定値を前記画像形成装置に送信する変更後設定値送信手段と
を備えることを特徴とする端末装置。
【請求項５】
前記設定値変更手段により変更された前記設定値を変更前の前記設定値に戻す設定値リセット手段を備えることを特徴とする請求項４に記載の端末装置。
【請求項６】
変更された前記設定値を一括で変更前の前記設定値に戻す設定値オールリセット手段を備えることを特徴とする請求項４または請求項５に記載の端末装置。
【発明の詳細な説明】
【技術分野】
【０００１】
本発明は、端末装置から画像形成装置の設定を行う画像形成システム、及び端末装置に関する。
【背景技術】
【０００２】
画像形成装置は、携帯電話、スマートフォン、またはタブレット端末（以下、「携帯端末」という）やＰＣ（パソコン）とネットワークで接続することができる。このように画像形成装置とネットワークで接続される携帯端末やＰＣ（以下、「端末装置」という）は、画像形成装置に対して各種の設定や操作を行うための画面（以下、「設定操作画面」という）を端末装置の操作パネルに表示して設定を行うことができる。例えば、特許文献１のプリンタードライバーのユーザーインターフェイスでは、点在している印刷時の課金に関連する設定値がどのように設定されたか分かり易くするために、課金にかかわる設定値を設定操作画面に一覧表示している。これにより、ユーザーがプリンタードライバーの課金の仕様を理解していない場合でも、印刷時の課金にかかわる部分の設定を簡単に確認し、また変更できるようにしている。
【先行技術文献】
【特許文献】
【０００３】
【特許文献１】特開２００７−４２４８号公報
【発明の概要】
【発明が解決しようとする課題】
【０００４】
しかし、特許文献１のプリンタードライバーのユーザーインターフェイスでは、課金に関連する設定値を一覧表示することで、ユーザーは設定値の確認や変更を容易に行うことができるが、変更する前の設定値の確認や変更する前の設定値に戻すことができないという問題があった。
【０００５】
本発明はこのような状況に鑑みてなされたものであり、上記課題を解決できる画像形成システム、及び端末装置を提供することを目的とする。
【課題を解決するための手段】
【０００６】
本発明の画像形成システムは、画像形成装置と端末装置とを有する。前記画像形成装置は、前記端末装置から設定値要求通知を受信する設定値要求通知受信手段と、前記端末装置に設定値を送信する設定値送信手段と、前記端末装置から変更後の前記設定値を受信する設定値受信手段とを備え、前記端末装置は、前記画像形成装置に前記設定値要求通知を送信する設定値要求通知送信手段と、前記画像形成装置から前記設定値を受信する変更前設定値受信手段と、前記変更前設定値受信手段により受信した前記設定値を設定操作画面に一覧で表示する設定値表示手段と、前記変更前設定値受信手段により受信した前記設定値を変更する設定値変更手段と、前記変更前設定値受信手段により受信した変更前の前記設定値と前記設定値変更手段により変更された変更後の前記設定値の両方を前記設定操作画面に一覧で表示する変更前後設定値表示手段と、前記設定値変更手段により変更された変更後の前記設定値を前記画像形成装置に送信する変更後設定値送信手段とを備えることを特徴としている。
また、前記端末装置は、前記設定値変更手段により変更された前記設定値を変更前の前記設定値に戻す設定値リセット手段を備えることを特徴としている。
また、前記端末装置は、変更された前記設定値を一括で変更前の前記設定値に戻す設定値オールリセット手段を備えることを特徴としている。
【発明の効果】
【０００７】
本発明の画像形成システム、及び端末装置は、画像形成装置の設定値の設定や操作を行う設定操作画面を端末装置に表示し、変更した設定値について、変更前の設定値を確認でき、また変更前の設定値に戻すことができる。
【図面の簡単な説明】
【０００８】
【図１】本発明の実施形態に係る画像形成システムの構成を示す図である。
【図２】図１に示す画像形成システムの画像形成装置及び端末装置の機能構成を示す図である。
【図３】本発明の実施形態に係る端末装置に表示される画像形成装置の設定操作画面の操作手順を示す図である。
【図４】本発明の実施形態に係る端末装置から画像形成装置の設定値を変更する手順の流れを示すフローチャートである。
【発明を実施するための形態】
【０００９】
以下、本発明を実施するための形態（以下、「実施形態」という）を、図面を参照して説明する。実施形態は、画像形成装置の設定値の設定や操作を行う設定操作画面を端末装置の操作パネルに表示し、ユーザーが設定操作画面から設定値を変更し、また変更した設定値に対する変更前の設定値を確認し、更に変更した設定値を変更前の設定値に戻す操作を行うことができるようにするものである。
【００１０】
まず、本実施形態の画像形成システム１０のシステム構成について、図１を用いて説明する。図１に示すように、画像形成システム１０は、複数の画像形成装置１００、複数の端末装置２００、アクセスポイント３００、ネットワーク４００、ルーター５００、インターネット６００、及びアクセスポイント７００により構成されている。画像形成装置１００、端末装置２００、及びアクセスポイント３００はネットワーク４００に接続され、ネットワーク４００はルーター５００を経由してインターネット６００に接続されている。
【００１１】
画像形成装置１００は、プリンター、多機能プリンター、多機能周辺装置、または複合機であり、近距離無線通信、アクセスポイント３００、またはインターネット６００により端末装置２００とデータの送受信を行うことができる。
【００１２】
端末装置２００は、携帯電話、スマートフォン、タブレット端末、またはＰＣ等であり、近距離無線通信、ネットワーク４００、ネットワーク４００のアクセスポイント３００、インターネット６００、又はインターネット６００のアクセスポイント７００により画像形成装置１００とデータの送受信を行うことができる。
【００１３】
アクセスポイント３００は、ネットワーク４００に接続され、無線通信によりアクセスポイント３００に対して接続要求を行っている端末装置２００をネットワーク４００に接続する。
【００１４】
ネットワーク４００は、ＬＡＮ（Local Area Network）などのネットワーク(イントラネット等)であり、複数の画像形成装置１００、複数の端末装置２００、及びアクセスポイント３００が接続されている。
【００１５】
ルーター５００は、ネットワーク４００に接続され、ネットワーク４００をインターネット６００に接続する。
【００１６】
インターネット６００は、インターネットやイントラネット等のＩＰネットワークであり、複数の端末装置２００が直接又はアクセスポイント７００を経由して接続する。
【００１７】
アクセスポイント７００は、インターネット６００に接続され、無線通信によりアクセスポイント７００に対して接続要求を行っている端末装置２００をインターネット６００に接続する。
【００１８】
次に、画像形成システム１０の画像形成装置１００と端末装置２００の機能構成について、図２を用いて説明する。図２に示す画像形成装置１００と端末装置２００は、図１に示す画像形成システム１０において、ネットワーク４００に接続する１台の画像形成装置１００と、アクセスポイント３００によりネットワーク４００に接続する１台の端末装置２００の機能構成を示しているが、図１に示す他の画像形成装置１００及び端末装置２００についても同様の機能構成である。
【００１９】
まず、画像形成装置１００の機能構成について、説明する。図２に示す画像形成装置１００は、制御部１１０、記憶部１２０、データ保存部１３０、操作パネル１４０、操作パネル処理部１５０、原稿読取部１６０、画像処理部１７０、近距離無線通信部１８０、及びネットワーク通信部１９０を備え、これら各部はバスなどにより接続される構成となっている。制御部１１０には、設定値要求通知受信処理部１１０ａ（設定値要求通知受信手段）、設定値送信処理部１１０ｂ（設定値送信手段）、及び設定値受信処理部１１０c（設定値受信手段）が設けられている。記憶部１２０には、設定値記憶エリア１２０ａが設けられている。データ保存部１３０には、画像データ保存エリア１３０ａが設けられている。
【００２０】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。
設定値要求通知受信処理部１１０ａは、端末装置２００から設定値要求通知を受信する処理を行う。
設定値送信処理部１１０ｂは、設定値記憶エリア１２０ａから設定値を取り出して端末装置２００に送信する処理を行う。
設定値受信処理部１１０ｃは、端末装置２００から受信した変更後の設定値を設定値記憶エリア１２０ａに記憶する処理を行う。
【００２１】
記憶部１２０は、フラッシュメモリー等の補助記憶装置で、制御部１１０が実行する処理のプログラムやデータを記憶する。
設定値記憶エリア１２０ａは、ユーザーがドキュメント（原稿）を印刷するジョブなどを実行するときに設定する用紙サイズなどの設定値や、画像形成装置１００の省エネモードを実行するときに設定するスリープモードに移行するまでの時間であるスリープタイマーなどの各種の設定値を記憶する。
【００２２】
データ保存部１３０は、データやプログラムを保存するハードディスクドライブである。データ保存部１３０には、画像データ保存エリア１３０ａが設けられている。
画像データ保存エリア１３０ａは、原稿読取部１６０により原稿が読み取られ、画像処理部１７０によって画像処理された原稿の画像データを保存することができる。また、画像データ保存エリア１３０ａは、ネットワーク通信部１９０を経由して送信する画像データまたは受信する画像データを保存することができる。
【００２３】
操作パネル１４０は、ユーザーによる操作や設定を受け付ける。操作パネル１４０は、画像形成装置１００が備えている機能を実行するためのボタン、ユーザーによる操作を受け付けるための操作画面、及びユーザーに通知するメッセージを表示し、また機能を実行するためのボタンの押下や操作画面からの設定を入力する。
【００２４】
操作パネル処理部１５０は、画像形成装置１００が備えている機能を実行するためのボタン、ユーザーによる操作を受け付けるための操作画面、及びユーザーに通知するメッセージを操作パネル１４０に表示する処理を行い、また機能を実行するためのボタンの押下や操作画面からの設定を操作パネル１４０から入力する処理を行う。
【００２５】
原稿読取部１６０は、ユーザーによる操作パネル１４０からの読み取り操作により、画像形成装置１００の原稿台にセットされた原稿の読み取りを行い、読み取った原稿データを画像処理部１７０に出力する。
【００２６】
画像処理部１７０は、原稿読取部１６０が読み取った原稿データを入力すると、画像形成装置１００で処理可能な画像データに変換する。
【００２７】
近距離無線通信部１８０は、近距離無線通信規格であるBluetooth（登録商標）や赤外線通信により端末装置２００と近距離での直接通信を行う。
【００２８】
ネットワーク通信部１９０は、着脱可能なＬＡＮインターフェイスを備え、ネットワーク４００に接続する。
【００２９】
次に、端末装置２００の機能構成について、説明する。図２に示す端末装置２００は、制御部２１０、記憶部２２０、操作パネル２３０、操作パネル処理部２４０、近距離無線通信部２５０、及びネットワーク通信部２６０を備え、これら各部はバスなどにより接続される構成となっている。制御部２１０には、設定値要求通知送信処理部２１０ａ（設定値要求通知送信手段）、変更前設定値受信処理部２１０ｂ（変更前設定値受信手段）、設定値表示処理部２１０ｃ（設定値表示手段）、設定値変更処理部２１０ｄ（設定値変更手段）、変更前後設定値表示処理部２１０ｅ（変更前後設定値表示手段）、変更後設定値送信処理部２１０ｆ（変更後設定値送信手段）、設定値リセット処理部２１０ｇ（設定値リセット手段）、及び設定値オールリセット処理部２１０ｈ（設定値オールリセット手段）が設けられている。記憶部２２０には、変更前設定値記憶エリア２２０ａと変更後設定値記憶エリア２２０ｂが設けられている。
【００３０】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な端末装置２００の制御を行う。
設定値要求通知送信処理部２１０ａは、画像形成装置１００に設定値要求通知を送信する処理を行う。
変更前設定値受信処理部２１０ｂは、画像形成装置１００から受信した設定値を変更前設定値記憶エリア２２０ａに記憶する処理を行う。
設定値表示処理部２１０ｃは、変更前設定値記憶エリア２２０ａの変更前の設定値を設定操作画面に表示する処理を行う。
設定値変更処理部２１０ｄは、設定操作画面から変更された設定値を変更後設定値記憶エリア２２０ｂに記憶する処理を行う。
変更前後設定値表示処理部２１０ｅは、変更前設定値記憶エリア２２０ａの変更前の設定値と、変更後設定値記憶エリア２２０ｂの変更後の設定値との両方を設定操作画面に表示する処理を行う。
変更後設定値送信処理部２１０ｆは、変更後設定値記憶エリア２２０ｂの変更後の設定値を画像形成装置１００に送信する処理を行う。
設定値リセット処理部２１０ｇは、設定操作画面から変更された設定値を元に戻した変更前の設定値を変更後設定値記憶エリア２２０ｂに記憶する処理を行う。
設定値オールリセット処理部２１０ｈは、設定操作画面から変更された全ての設定値を元に戻した変更前の設定値を変更後設定値記憶エリア２２０ｂに記憶する処理を行う。
【００３１】
記憶部２２０は、フラッシュメモリー等の補助記憶装置で、制御部２１０が実行する処理のプログラムやデータを記憶する。
変更前設定値記憶エリア２２０ａは、画像形成装置１００から受信した設定値を記憶する。
変更後設定値記憶エリア２２０ｂは、設定操作画面から変更した設定値を記憶する。
【００３２】
操作パネル２３０は、設定値の設定と操作を行う設定操作画面やユーザーに通知するメッセージなどを表示し、またユーザーによる設定操作画面からの設定値の変更や操作を入力する液晶パネルである。
【００３３】
操作パネル処理部２４０は、設定操作画面やユーザーに通知するメッセージなどを表示する処理を行い、またユーザーによる設定操作画面からの設定値の変更や操作を入力する処理を行う。
【００３４】
近距離無線通信部２５０は、近距離無線通信規格であるBluetooth（登録商標）や赤外線通信により画像形成装置１００と近距離での直接通信を行う。
【００３５】
ネットワーク通信部２６０は、アクセスポイント３００を経由してネットワーク４００に接続する。また、ネットワーク通信部２６０は、アクセスポイント７００を経由してインターネット６００に接続する。
【００３６】
次に、ユーザーがドキュメントを印刷するジョブを実行するときに用紙サイズなどを設定するための設定操作画面（以下、「オリジナルドキュメント設定画面」）８００と、ユーザーがオリジナルドキュメント設定画面８００から設定した設定値の表示や変更した設定値を元に戻すための設定操作画面（以下、「オリジナルドキュメント設定確認リセット画面」）９００の操作手順について説明する。図３（１）にオリジナルドキュメント設定画面８００の画面フォーマット、図３（２）にオリジナルドキュメント設定確認リセット画面９００を示す。
なお、オリジナルドキュメント設定画面８００とオリジナルドキュメント設定確認リセット画面９００は、インターネット６００で公開されるＷｅｂページであるが、ユーザーがユーザーＩＤ及びパスワードを端末装置２００の操作パネル２３０から入力し、ユーザーＩＤ及びパスワードにより正当なユーザーと認められたときに、操作パネル２３０に表示可能となる。
【００３７】
まず、図３（１）に示すオリジナルドキュメント設定画面８００の操作手順について説明する。オリジナルドキュメント設定画面８００には、「オリジナルサイズ」設定エリア８１０、及び「カスタムオリジナルサイズ」設定エリア８２０が設けられている。なお、「オリジナルサイズ」設定エリア８１０及び「カスタムオリジナルサイズ」設定エリア８２０に矢印が記載されているが、これは操作手順を説明するための記載であり、実際の「オリジナルサイズ」設定エリア８１０及び「カスタムオリジナルサイズ」設定エリア８２０には表示されない。なお、オリジナルドキュメント設定画面８００に初期表示される設定値は、記憶部２２０の変更前設定値記憶エリア２２０ａから取り出された設定値である。
【００３８】
「オリジナルサイズ」設定エリア８１０には、項目「Ａ６／はがき」８１１ａ、項目「フォリオ」８１２ａ、及び項目「１１×１５」８１３ａが設けられている。例えば、ユーザーが項目「Ａ６／はがき」８１１ａを「はがき」から「Ａ６」に変更するときには、項目「Ａ６／はがき」８１１ａの「Ａ６」ボタン８１１ｂをポイントする。このポイントにより、矢印に示すように「Ａ６」ボタン８１１ｂがオンとなり、用紙サイズが「Ａ６」に設定される。また、ユーザーが項目「１１×１５」８１３ａを「Ｏｎ」から「Ｏｆｆ」に変更するときには、項目「１１×１５」８１３ａの「Ｏｆｆ」ボタン８１３ｃをポイントすると、矢印に示すように「１１×１５」ボタン８１３ｂがオンとなり、用紙サイズが「１１×１５」（インチ）に設定される。
【００３９】
「カスタムオリジナルサイズ」設定エリア８２０には、項目「カスタム１」８２１ａ、項目「カスタム２」８２２ａ、項目「カスタム３」８２３ａ、及び項目「カスタム４」８２４ａが設けられている。例えば、ユーザーが項目「カスタム１」８２１ａを「Ｏｎ」から「Ｏｆｆ」に変更するときには、項目「カスタム１」８２１ａの「Ｏｆｆ」ボタン８２１ｃをポイントする。このポイントにより、矢印に示すように「Ｏｆｆ」ボタン８２１ｃがオンとなり、ユーザーが予めカスタム１として登録した用紙サイズの設定が解除される。
【００４０】
次に、図３（２）に示すオリジナルドキュメント設定確認リセット画面９００の操作手順について説明する。オリジナルドキュメント設定確認リセット画面９００には、「オリジナルサイズ」確認エリア９１０、「カスタムオリジナルサイズ」確認エリア９２０、「オールリセット」ボタン９３０、及び「送信」ボタン９４０が設けられている。
【００４１】
「オリジナルサイズ」確認エリア９１０には、「変更項目」表示欄９１１ａ、「ログイン設定値」表示欄９１１ｂ、「変更後設定値」表示欄９１１ｃ、及び「リセット」表示欄９１１ｄが設けられている。「変更項目」表示欄９１１ａには、オリジナルドキュメント設定画面８００により変更された設定値の項目が表示される。「ログイン設定値」表示欄９１１ｂには、オリジナルドキュメント設定画面８００から変更された設定値の変更前の設定値が表示される。「変更後設定値」表示欄９１１ｃには、オリジナルドキュメント設定画面８００から変更された設定値の変更後の設定値が表示される。「リセット」表示欄９１１ｄには、オリジナルドキュメント設定画面８００の変更後の設定値から変更前の設定値に戻すときに押下する「リセット」ボタンが表示される。「リセット」ボタンを押下することで、変更前の設定値が記憶部２２０の変更後設定値記憶エリア２２０ｂに記憶される。
例えば、ユーザーがオリジナルドキュメント設定画面８００から項目「Ａ６／はがき」８１１ａを「はがき」から「Ａ６」に変更したときには、「変更項目」表示欄９１１ａに「Ａ６／はがき」９１２ａが表示され、「ログイン設定値」表示欄９１１ｂにリセットされた「はがき」ボタン９１２ｂ、「変更後設定値」表示欄９１１ｃにセットされた「Ａ６」ボタン９１２ｃ、及び「リセット」表示欄９１１ｄに「リセット」ボタン９１２ｄが表示される。「リセット」ボタン９１１ｄが押下されると、用紙サイズを変更前の「はがき」とする設定値が変更後設定値記憶エリア２２０ｂに記憶される。
【００４２】
「カスタムオリジナルサイズ」確認エリア９２０には、「変更項目」表示欄９２１ａ、「ログイン設定値」表示欄９２１ｂ、「変更後設定値」表示欄９２１ｃ、及び「リセット」表示欄９２１ｄが設けられている。「変更項目」表示欄９２１ａ、「ログイン設定値」表示欄９２１ｂ、「変更後設定値」表示欄９２１ｃ、及び「リセット」表示欄９２１ｄは、「オリジナルサイズ」確認エリア９１０の「変更項目」表示欄９１１ａ、「ログイン設定値」表示欄９１１ｂ、「変更後設定値」表示欄９１１ｃ、及び「リセット」表示欄９１１ｄに同じである。例えば、ユーザーがオリジナルドキュメント設定画面８００から項目「カスタム１」８２１ａを「Ｏｎ」から「Ｏｆｆ」に変更したときには、「変更項目」表示欄９２１ａに「カスタム１」９２２ａが表示され、「ログイン設定値」表示欄９２１ｂにリセットされた「Ｏｎ」ボタン９２２ｂ、「変更後設定値」表示欄９２１ｃにセットされた「Ｏｆｆ」ボタン９２２ｃ、及び「リセット」表示欄９２１ｄに「リセット」ボタン９２２ｄが表示される。「リセット」ボタン９２２ｄが押下されると、カスタム１の「Ｏｆｆ」をリセットした変更前の設定値「Ｏｎ」が変更後設定値記憶エリア２２０ｂに記憶される。
【００４３】
「オールリセット」ボタン９３０は、オリジナルドキュメント設定確認リセット画面９００に表示されている全ての設定値を変更前の設定値に一括で戻すときに押下するボタンである。「オールリセット」ボタン９３０が押下されると、オリジナルドキュメント設定確認リセット画面９００に表示されている全ての設定値が変更前設定値記憶エリア２２０ａに記憶されている設定値となるように変更後設定値記憶エリア２２０ｂに上書きされる。
【００４４】
「送信」ボタン９４０は、オリジナルドキュメント設定画面８００またはオリジナルドキュメント設定確認リセット画面９００から変更され、記憶部２２０の変更後設定値記憶エリア２２０ｂに記憶されている設定値を画像形成装置１００に送信するときに押下するボタンである。
【００４５】
次に、実施形態における端末装置２００のオリジナルドキュメント設定画面８００から画像形成装置１００の設定値を変更し、変更した設定値をオリジナルドキュメント設定確認リセット画面９００で確認した後に、変更した設定値を画像形成装置１００に送信する手順について、図４を用いて説明する。図４においては、１台の端末装置２００から１台の画像形成装置１００の設定値を変更し、変更した設定値をユーザーが確認した後に画像形成装置１００に送信する手順である。
【００４６】
（ステップＳ１０１）
まず、ユーザーが端末装置２００の操作パネル２３０からユーザーＩＤ及びパスワードを入力し、オリジナルドキュメント設定画面８００の表示を要求すると、操作パネル処理部２４０がユーザーＩＤ及びパスワードとオリジナルドキュメント設定画面８００の表示要求を制御部２１０に出力する。
【００４７】
（ステップＳ１０２）
次いで、端末装置２００の制御部２１０は、ユーザーＩＤ及びパスワード、オリジナルドキュメント設定画面８００の表示要求を入力すると、ユーザーＩＤ及びパスワードによりユーザーが正当なユーザーであるかを判定する。正当なユーザーであると判定されたとき（ステップＳ１０２のＹｅｓ）は、ステップＳ１０３に進む。正当なユーザーでないと判定されたとき（ステップＳ１０２のＮｏ）は、ステップＳ１１３に進む。
【００４８】
（ステップＳ１０３）
ステップＳ１０２のＹｅｓにおいて、端末装置２００の設定値要求通知送信処理部２１０ａは、設定値要求通知をネットワーク通信部２６０により画像形成装置１００に送信する。
【００４９】
（ステップＳ１０４）
次いで、画像形成装置１００の設定値要求通知受信処理部１１０ａが設定値要求通知を受信すると、設定値送信処理部１１０ｂが設定値記憶エリア１２０ａから設定値を取り出し、設定値を端末装置２００に送信する。
【００５０】
（ステップＳ１０５）
次いで、端末装置２００の変更前設定値受信処理部２１０ｂが設定値を受信すると、受信した設定値を変更前設定値記憶エリア２２０ａに記憶する。
【００５１】
（ステップＳ１０６）
次いで、端末装置２００の設定値表示処理部２１０ｃが変更前設定値記憶エリア２２０ａの設定値に基づいてオリジナルドキュメント設定画面８００を操作パネル２３０に表示する。
【００５２】
（ステップＳ１０７）
次いで、ユーザーがオリジナルドキュメント設定画面８００から設定値の変更を行うと、端末装置２００の設定値変更処理部２１０ｄが変更後設定値記憶エリア２２０ｂに変更した設定値を記憶する。
【００５３】
（ステップＳ１０８）
次いで、ユーザーが操作パネル２３０からオリジナルドキュメント設定確認リセット画面９００の表示を要求する。
【００５４】
（ステップＳ１０９）
次いで、端末装置２００の変更前後設定値表示処理部２１０ｅが変更前設定値記憶エリア２２０ａから変更前の設定値を取り出し、変更後設定値記憶エリア２２０ｂから変更後の設定値を取り出すと、変更前の設定値と変更後の設定値に基づいてオリジナルドキュメント設定確認リセット画面９００を操作パネル２３０に表示する。
【００５５】
（ステップＳ１１０）
次いで、ユーザーがオリジナルドキュメント設定確認リセット画面９００から設定値を確認し、必要に応じて変更項目の「リセット」ボタンを押下すると、設定値リセット処理部２１０ｇが設定値を変更前の設定値に戻す。ユーザーが確認を終了すると、オリジナルドキュメント設定確認リセット画面９００の「送信」ボタン９４０を押下する。なお、ユーザーがオリジナルドキュメント設定確認リセット画面９００の「オールリセット」ボタン９３０を押下したときには、設定値オールリセット処理部２１０ｈにより、全ての変更項目の設定値が変更前の設定値に戻るので、ユーザーは再びオリジナルドキュメント設定画面８００を表示して設定値の変更を行う。
【００５６】
（ステップＳ１１１）
次いで、端末装置２００の変更後設定値送信処理部２１０ｆがオリジナルドキュメント設定確認リセット画面９００から「送信」ボタン９４０が押下されたことを検出すると、変更後設定値記憶エリア２２０ｂから取り出した変更後の設定値を画像形成装置１００に送信する。
【００５７】
（ステップＳ１１２）
次いで、画像形成装置１００の設定値受信処理部１１０ｃが変更後の設定値を受信すると、設定値記憶エリア１２０ａに受信した設定値を上書きする。
【００５８】
（ステップＳ１１３）
ステップＳ１０２のＮｏにおいて、端末装置２００の制御部２１０は、正当なユーザーでないことを通知するメッセージを操作パネル処理部２４０により操作パネル２３０に表示する。
【００５９】
以上により、ユーザーは端末装置２００に表示したオリジナルドキュメント設定画面８００から画像形成装置１００の一覧表示されている設定値を変更し、設定値の変更を行った後にオリジナルドキュメント設定確認リセット画面９００により、変更前及び変更後の設定値を一覧表示することで容易に確認することができる。更に、変更後の設定値を変更前の設定値に容易に戻すことができる。従って、誤った設定値が画像形成装置１００に設定されることにより、画像形成装置１００がユーザーの期待通りに実行しないなどの問題を防止することができる。
【００６０】
なお、実施形態においては、オリジナルドキュメント設定確認リセット画面９００の「オールリセット」ボタン９３０をユーザーが押下したときには、全ての変更項目の設定値がリセットされるので、ユーザーは再びオリジナルドキュメント設定画面８００を表示して設定値の変更を行うとしたが、これに限定されない。ユーザーが「オールリセット」ボタン９３０を押下し、オリジナルドキュメント設定画面８００を表示せずに、画像形成装置１００の設定値の変更を中止することも可能である。
【００６１】
また、実施形態においては、画像形成装置１００と端末装置２００とをネットワーク４００で接続し、ネットワーク４００により端末装置２００と画像形成装置１００が設定値の送受信を行うようにしたが、これに限定されない。例えば、画像形成装置１００の近距離無線通信部１８０と端末装置２００の近距離無線通信部２５０により、画像形成装置１００と端末装置２００とを近距離無線通信で接続し、この近距離無線通信により端末装置２００と画像形成装置１００が設定値の送受信することも可能である。また、画像形成装置１００と端末装置２００をインターネット６００により接続し、インターネット６００の通信プロトコルを用いて、端末装置２００と画像形成装置１００が設定値の送受信することも可能である。
【００６２】
このような本発明の画像形成システム、及び端末装置は、画像形成装置の設定値の設定や操作を行う設定操作画面を端末装置に表示し、端末装置から変更した設定値について、変更前の設定値を確認でき、また変更前の設定値に戻すことができる。
【００６３】
以上、具体的な実施の形態により本発明を説明したが、上記実施の形態は本発明の例示であり、この実施の形態に限定されないことは言うまでもない。
【産業上の利用可能性】
【００６４】
本発明の画像形成システム、及び端末装置は、端末装置と接続が可能な装置の設定値を端末装置から設定するときに適用できる。
【符号の説明】
【００６５】
１０・・・・・画像形成システム
１００・・・・・画像形成装置
１１０・・・・・制御部
１１０ａ・・・・設定値要求通知受信処理部
１１０ｂ・・・・設定値送信処理部
１１０ｃ・・・・設定値受信処理部
１２０・・・・・記憶部
１２０ａ・・・・設定値記憶エリア
１３０・・・・・データ保存部
１３０ａ・・・・画像データ保存エリア
１４０・・・・・操作パネル
１５０・・・・・操作パネル処理部
１６０・・・・・原稿読取部
１７０・・・・・画像処理部
１８０・・・・・近距離無線通信部
１９０・・・・・ネットワーク通信部
２００・・・・・端末装置
２１０・・・・・制御部
２１０ａ・・・・設定値要求通知送信処理部
２１０ｂ・・・・変更前設定値受信処理部
２１０ｃ・・・・設定値表示処理部
２１０ｄ・・・・設定値変更処理部
２１０ｅ・・・・変更前後設定値表示処理部
２１０ｆ・・・・変更後設定値送信処理部
２１０ｇ・・・・設定値リセット処理部
２１０ｈ・・・・設定値オールリセット処理部
２２０・・・・・記憶部
２２０ａ・・・・変更前設定値記憶エリア
２２０ｂ・・・・変更後設定値記憶エリア
２３０・・・・・操作パネル
２４０・・・・・操作パネル処理部
２５０・・・・・近距離無線通信部
２６０・・・・・ネットワーク通信部
３００・・・・・アクセスポイント
４００・・・・・ネットワーク
５００・・・・・ルーター
６００・・・・・インターネット
７００・・・・・アクセスポイント
８００・・・・・オリジナルドキュメント設定画面
８１０・・・・・「オリジナルサイズ」設定エリア
８２０・・・・・「カスタムオリジナルサイズ」設定エリア
９００・・・・・オリジナルドキュメント設定確認リセット画面
９１０・・・・・「オリジナルサイズ」確認エリア
９２０・・・・・「カスタムオリジナルサイズ」確認エリア
９３０・・・・・「オールリセット」ボタン
９４０・・・・・「送信」ボタン９４０
【図１】
2016051248.tif 000003
【図２】
2016051248.tif 000004
【図３】
2016051248.tif 000005
【図４】
2016051248.tif 000006